(57)【要約】【課題】簡易な構成で局部洗浄ノズルの表面の水滴を迅速に除去する。【解決手段】洗浄便座装置は、使用者の局部に向けて洗浄水を吐出可能な吐出口を有する局部洗浄ノズルと、局部洗浄ノズルに向けてエアを吐出可能な吐出口にエアを供給するエアポンプと、エアポンプから吐出口へのエアの供給路を開閉可能な開閉弁と、開閉弁を閉じた状態でエアポンプを駆動してから開閉弁を開くことで圧縮されたエアが吐出口から吐出されるように、エアポンプと開閉弁とを制御する圧縮エア吐出制御を行う制御装置と、を備えるものである。【選択図】図２
2019073891.tif 000002
【特許請求の範囲】
【請求項１】
使用者の局部に向けて洗浄水を吐出可能な吐出口を有する局部洗浄ノズルと、
前記局部洗浄ノズルに向けてエアを吐出可能な吐出口にエアを供給するエアポンプと、
前記エアポンプから前記吐出口へのエアの供給路を開閉可能な開閉弁と、
前記開閉弁を閉じた状態で前記エアポンプを駆動してから前記開閉弁を開くことで圧縮されたエアが前記吐出口から吐出されるように、前記エアポンプと前記開閉弁とを制御する圧縮エア吐出制御を行う制御装置と、
を備える洗浄便座装置。
【請求項２】
請求項１に記載の洗浄便座装置であって、
前記局部洗浄ノズルに向けて洗浄水を吐出可能な吐出口を有するノズル洗浄部を備え、
前記制御装置は、前記局部洗浄ノズルによる局部洗浄が行われてから前記ノズル洗浄部によるノズル洗浄が行われた後に、前記圧縮エア吐出制御を行う
洗浄便座装置。
【請求項３】
請求項１または２に記載の洗浄便座装置であって、
前記局部洗浄ノズルを収容するノズルカバーを備え、
前記局部洗浄ノズルは、前記ノズルカバー内に収容される収容位置と、前記ノズルカバー外の洗浄位置との間を移動可能に構成され、
前記制御装置は、前記局部洗浄ノズルが前記洗浄位置と前記収容位置との間を移動中に、前記圧縮エア吐出制御を複数回行う
洗浄便座装置。
【請求項４】
請求項１ないし３のいずれか１項に記載の洗浄便座装置であって、
前記局部洗浄ノズルに向けて洗浄水を吐出可能な吐出口を有するノズル洗浄部を備え、
前記エアポンプによりエアが供給される前記吐出口と前記ノズル洗浄部の吐出口とを共用するように構成される
洗浄便座装置。
【請求項５】
請求項４に記載の洗浄便座装置であって、
前記制御装置は、前記圧縮エア吐出制御を複数回行う
洗浄便座装置。
【請求項６】
請求項１ないし３のいずれか１項に記載の洗浄便座装置であって、
前記エアポンプから前記吐出口までのエアの供給路に設けられる前記開閉弁としての第１開閉弁と、
前記局部洗浄ノズルに供給される洗浄水に前記エアポンプからのエアを供給して混入するための供給路を開閉可能な第２開閉弁と、
を備え、
前記制御装置は、前記局部洗浄ノズルによる局部洗浄中は前記第１開閉弁を閉じた状態とし、前記圧縮エア吐出制御中は前記第２開閉弁を閉じた状態とする
洗浄便座装置。
【発明の詳細な説明】
【技術分野】
【０００１】
本発明は、洗浄便座装置に関する。
【背景技術】
【０００２】
従来、洗浄便座装置としては、使用者の局部に向けて洗浄水を吐出する局部洗浄ノズルと、局部洗浄後に局部洗浄ノズルに向けて洗浄水を吐出する洗浄手段とを備え、局部洗浄ノズルの表面に付着した水滴を除去するものが提案されている。例えば、特許文献１の洗浄便座装置は、温風ファンと、温風ファンの温風を使用者の局部に向けるか局部洗浄ノズルに向けるかを切り替える風向切替機構とを備え、ノズル洗浄後の局部洗浄ノズルに温風を送風することによりノズル表面の水滴を乾燥除去させている。
【先行技術文献】
【特許文献】
【０００３】
【特許文献１】特開２００３−９６８８０号公報
【発明の概要】
【発明が解決しようとする課題】
【０００４】
上述した洗浄便座装置は、温風ファンからの温風をノズル表面の乾燥に兼用するものであるが、局部乾燥とノズル乾燥とでは要求される風力や温度が異なることがあるため、局部洗浄ノズルの表面に付着した水滴を適切に乾燥除去させることができない場合がある。その場合、水滴が徐々に乾燥していく過程で水垢固着が生じ、その水垢が汚物付着の起点となるなど局部洗浄ノズルの清潔性が阻害されるおそれがある。
【０００５】
本発明は、局部洗浄ノズルの表面の水滴を適切に除去することを主目的とする。
【課題を解決するための手段】
【０００６】
本発明は、上述の主目的を達成するために以下の手段を採った。
【０００７】
本発明の洗浄便座装置は、使用者の局部に向けて洗浄水を吐出可能な吐出口を有する局部洗浄ノズルと、前記局部洗浄ノズルに向けてエアを吐出可能な吐出口にエアを供給するエアポンプと、前記エアポンプから前記吐出口へのエアの供給路を開閉可能な開閉弁と、前記開閉弁を閉じた状態で前記エアポンプを駆動してから前記開閉弁を開くことで圧縮されたエアが前記吐出口から吐出されるように、前記エアポンプと前記開閉弁とを制御する圧縮エア吐出制御を行う制御装置と、を備えることを要旨とする。
【０００８】
本発明の洗浄便座装置では、開閉弁を閉じた状態でエアポンプを駆動してから開閉弁を開くことで圧縮されたエアが吐出口から吐出されるようにエアポンプと開閉弁とを制御する圧縮エア吐出制御を行う。これにより、局部洗浄ノズルの外表面に付着した水滴を吹き飛ばして水滴を適切に除去することができる。このため、局部洗浄ノズルの外表面に水滴が残ることで雑菌が繁殖したり水垢が固着したりするのを防止して、局部洗浄ノズルの清潔性を保つことができる。
【０００９】
本発明の洗浄便座装置において、前記局部洗浄ノズルに向けて洗浄水を吐出可能な吐出口を有するノズル洗浄部を備え、前記制御装置は、前記局部洗浄ノズルによる局部洗浄が行われてから前記ノズル洗浄部によるノズル洗浄が行われた後に、前記圧縮エア吐出制御を行うものとしてもよい。こうすれば、ノズル洗浄により局部洗浄ノズルの外表面に付着した水滴を適切に除去することができる。
【００１０】
本発明の洗浄便座装置において、前記局部洗浄ノズルを収容するノズルカバーを備え、前記局部洗浄ノズルは、前記ノズルカバー内に収容される収容位置と、前記ノズルカバー外の洗浄位置との間を移動可能に構成され、前記制御装置は、前記局部洗浄ノズルが前記洗浄位置と前記収容位置との間を移動中に、前記圧縮エア吐出制御を複数回行うものとしてもよい。こうすれば、局部洗浄ノズルの移動方向に沿った複数箇所に圧縮されたエアを吐出することができるから、局部洗浄ノズルの外表面の略全長に亘って、付着した水滴をより確実に除去することができる。
【００１１】
本発明の洗浄便座装置において、前記局部洗浄ノズルに向けて洗浄水を吐出可能な吐出口を有するノズル洗浄部を備え、前記エアポンプによりエアが供給される前記吐出口と前記ノズル洗浄部の吐出口とを共用するように構成されるものとしてもよい。こうすれば、局部洗浄ノズルを洗浄するためのノズル洗浄部を備えるものにおいて、局部洗浄ノズルへのエアの吐出をコンパクトな構成で可能とすることができる。
【００１２】
この態様の本発明の洗浄便座装置において、前記制御装置は、前記局部洗浄ノズルが前記収容位置にある状態で、前記圧縮エア吐出制御を複数回行うものとしてもよい。こうすれば、ノズル洗浄により残存している洗浄水を一回目の圧縮エア吐出制御により除去した後に、二回目以降の圧縮エア吐出制御によりエアを確実に吐出することができるから、局部洗浄ノズルの外表面に付着した水滴をより適切に除去することができる。
【００１３】
本発明の洗浄便座装置において、前記エアポンプから前記吐出口までのエアの供給路に設けられる前記開閉弁としての第１開閉弁と、前記局部洗浄ノズルに供給される洗浄水に前記エアポンプからのエアを供給して混入するための供給路を開閉可能な第２開閉弁と、を備え、前記制御装置は、前記局部洗浄ノズルによる局部洗浄中は前記第１開閉弁を閉じた状態とし、前記圧縮エア吐出制御中は前記第２開閉弁を閉じた状態とするものとしてもよい。こうすれば、局部洗浄ノズルからの洗浄水に混入するエアを供給するためのエアポンプと、局部洗浄ノズルに吐出するエアを供給するためのエアポンプとを共用することができるから、コンパクトな構成とすることができる。
【図面の簡単な説明】
【００１４】
【図１】洗浄便座装置１０が取り付けられた便器１の外観斜視図である。
【図２】洗浄便座装置１０の構成の概略を示す構成図である。
【図３】ノズルユニット２０の外観斜視図である。
【図４】ノズルユニット作動処理の一例を示すフローチャートである。
【図５】圧縮エア吐出処理の一例を示すフローチャートである。
【図６】変形例の圧縮エア吐出処理を示すフローチャートである。
【図７】変形例の洗浄便座装置１０Ｂの構成の概略を示す構成図である。
【図８】変形例の洗浄便座装置１０Ｃの構成の概略を示す構成図である。
【発明を実施するための形態】
【００１５】
次に、本発明を実施するための形態について説明する。
【００１６】
図１は洗浄便座装置１０が取り付けられた便器１の外観斜視図であり、図２は洗浄便座装置１０の構成の概略を示す構成図であり、図３はノズルユニット２０の外観斜視図である。本実施形態において、左右方向、前後方向及び上下方向は、図１，図３に示した通りとする。
【００１７】
便器１は、洋式便器であり、便器１の上面に洗浄便座装置１０が設置されている。洗浄便座装置１０は、図１に示すように、便器１の後方に設置される便座装置本体１１と、便座装置本体１１に回動自在に支持された便座１２と、便座装置本体１１に回動自在に支持された便蓋１３と、使用者により操作される操作パネル１４と、を備える。
【００１８】
便座装置本体１１は、図２に示すように、２つの局部洗浄ノズルとしておしり洗浄ノズル２１とビデ洗浄ノズル２２とを有するノズルユニット２０と、洗浄便座装置１０全体を制御する制御装置６０とを備える。ノズルユニット２０は、図２，図３に示すように、給水源からの給水を所定の給水圧に減圧する給水減圧弁２３と、給水減圧弁２３を通過した洗浄水を加熱するヒータや温度センサが設けられた熱交換ユニット２５と、洗浄水の流量を調整する流量調整弁２７と、流量調整弁２７から出力された洗浄水の供給先を切り替える流路切替弁２９とを備える。また、ノズルユニット２０は、おしり洗浄ノズル２１を前後方向に進退移動させるおしり洗浄ノズル駆動部３１と、ビデ洗浄ノズル２２を前後方向に進退移動させるビデ洗浄ノズル駆動部３２と、おしり洗浄ノズル２１やビデ洗浄ノズル２２の外表面を洗浄するノズル洗浄部３５と、おしり洗浄ノズル２１やビデ洗浄ノズル２２を収容して全体を覆うノズルカバー４０と、おしり洗浄ノズル２１やビデ洗浄ノズル２２の外表面にエアを吐出するエア吐出部５０とを備える。
【００１９】
おしり洗浄ノズル２１とビデ洗浄ノズル２２は、伸縮しない単段式の軸状ノズル部材である。おしり洗浄ノズル２１とビデ洗浄ノズル２２は、図示は省略するが、それぞれ、内部に洗浄水の流路が形成された中空円筒状の樹脂製のノズル本体と、ノズル本体の外表面に撥水処理により形成された撥水性層とにより構成されている。なお、おしり洗浄ノズル２１とビデ洗浄ノズル２２を、複数段のノズル部材により伸縮可能に構成してもよい。
【００２０】
おしり洗浄ノズル駆動部３１は、図示は省略するが、駆動源としてのモータと、モータにより回転するピニオンギヤと、ピニオンギヤに噛み合うと共におしり洗浄ノズル２１の先端部に接続されピニオンギヤの回転に伴って移動可能なラック（フレキシブルラック）とを備え、モータの正回転または逆回転によりおしり洗浄ノズル２１を前方または後方に移動させる。また、ビデ洗浄ノズル駆動部３２も同様に構成されている。なお、制御装置６０は、おしり洗浄ノズル駆動部３１やビデ洗浄ノズル駆動部３２の各モータの回転量や図示しない位置センサなどから、おしり洗浄ノズル２１やビデ洗浄ノズル２２の位置を検出可能である。
【００２１】
ノズルカバー４０は、図３に示すように、下カバー部材４１と、上カバー部材４３と、前壁部材４５とにより構成されている。下カバー部材４１は、前方に向かって斜め下方に傾斜する上面におしり洗浄ノズル２１とビデ洗浄ノズル２２がそれぞれ載置される。また、下カバー部材４１は、その幅方向両側縁に複数の係合爪４２を有しており、複数の係合爪４２が上カバー部材４３の対向する位置に設けられた複数の係合溝４４と係合することにより、上カバー部材４３が下カバー部材４１に取り付けられる。また、前壁部材４５は、下カバー部材４３の前方端に配設されている。前壁部材４５には、おしり洗浄ノズル２１とビデ洗浄ノズル２２がそれぞれ進退移動するための開口４５ａ，４５ｂが形成されている。これにより、おしり洗浄ノズル２１とビデ洗浄ノズル２２は、下カバー部材４１と上カバー部材４３と前壁部材４５とにより囲まれて、ノズルカバー４０に収容される。
【００２２】
ノズル洗浄部３５は、図３に示すように、ノズルカバー４０の前壁部材４５に設けられている。ノズル洗浄部３５は、開口４５ａ，４５ｂの内周壁面の上部に鉛直下方に向けて開口する複数の吐出口３６と、吐出口３６への洗浄水などが供給される供給口３７とが設けられている。供給口３７には、流路切替弁２９に繋がる洗浄水供給路３８（図２参照）が接続されており、洗浄水供給路３８を通った洗浄水を吐出口３６に供給する。ノズル洗浄部３５は、おしり洗浄ノズル２１やビデ洗浄ノズル２２がノズルカバー４０内に収容された収容位置にある状態で吐出口３６から洗浄水を吐出することにより、おしり洗浄ノズル２１やビデ洗浄ノズル２２の外表面を洗浄する。これにより、おしり洗浄ノズル２１やビデ洗浄ノズル２２の外表面に付着した汚れを除去している。
【００２３】
エア吐出部５０は、図２に示すように、エア供給源としてのエアポンプ５２と、エアポンプ５２と洗浄水供給路３８とを繋ぐエア供給路５４と、エア供給路５４を開閉可能な開閉弁５６とを備える。エア吐出部５０は、開閉弁５６を開いた状態でエアポンプ５２を駆動させることで、エア供給路５４から洗浄水供給路３８を通って供給口３７にエアを供給し、供給したエアを吐出口３６から吐出させる。即ち、本実施形態では、吐出口３６が、洗浄水の吐出と、エアの吐出とに共用されるように構成されている。なお、開閉弁５６を閉じた状態では、エアポンプ５２と開閉弁５６との間の供給路は密閉空間となる。
【００２４】
おしり洗浄ノズル２１とビデ洗浄ノズル２２と吐出口３６（洗浄水供給路３８）とは、図２に示すように、流路切替弁２９に接続されている。流路切替弁２９は、供給先をおしり洗浄ノズル２１とビデ洗浄ノズル２２と吐出口３６（洗浄水供給路３８）のうちいずれかに切り替えるように、図示しないモータにより駆動されるロータリバルブとして構成される。
【００２５】
制御装置６０は、図示は省略するが、ＣＰＵを中心とするマイクロコンピュータとして構成されており、ＣＰＵの他にＲＯＭやＲＡＭ，入出力ポートなどを備える。制御装置６０には、図２に示すように、操作パネル１４からの操作信号や着座センサ１５からの検知信号などが入力ポートを介して入力される。また、制御装置６０からは、給水減圧弁２３への駆動信号や熱交換ユニット２５への駆動信号、流量調整弁２７への駆動信号、流路切替弁２９への駆動信号、おしり洗浄ノズル駆動部３１への駆動信号、ビデ洗浄ノズル駆動部３２への駆動信号、エアポンプ５２への駆動信号、開閉弁５６への駆動信号などが出力ポートを介して出力されている。なお、操作パネル１４には、おしり洗浄を指示するおしり洗浄スイッチやビデ洗浄を指示するビデ洗浄スイッチ、洗浄の強さを調整する洗浄強さ調整スイッチ、洗浄の停止を指示する停止スイッチなどが設けられている。
【００２６】
次に、こうして構成された洗浄便座装置１０（ノズルユニット２０）の動作について説明する。図４は、ノズルユニット作動処理の一例を示すフローチャートである。制御装置６０は、着座センサ１５により使用者の便座１２への着座を検知した場合に、この処理を実行する。また、図示は省略するが、制御装置６０は、着座センサ１５により使用者の着座が検知されなくなった場合などに、この処理を終了する。
【００２７】
ノズルユニット作動処理では、制御装置６０は、まず、局部洗浄の開始タイミングとなるのを待つ（Ｓ１００）。Ｓ１００の判定は、操作パネル１４のおしり洗浄スイッチやビデ洗浄スイッチが操作されたか否かに基づいて行われる。制御装置６０は、Ｓ１００で局部洗浄の開始タイミングとなったと判定すると、操作パネル１４のスイッチ操作に応じた局部洗浄ノズル（おしり洗浄ノズル２１またはビデ洗浄ノズル２２）を洗浄位置に向かって前方に移動させて（Ｓ１１０）、局部洗浄ノズルによる局部洗浄を開始する（Ｓ１２０）。なお、制御装置６０は、おしり洗浄スイッチが操作された場合には、おしり洗浄ノズル駆動部３１を駆動制御しておしり洗浄ノズル２１を洗浄位置に移動させ、おしり洗浄ノズル２１に洗浄水が供給されるように流路切替弁２９を駆動制御して、おしり洗浄を実行する。また、ビデ洗浄ノズル２２によるビデ洗浄も同様に行われる。そして、制御装置６０は、局部洗浄の終了タイミングとなるのを待つ（Ｓ１３０）。Ｓ１３０の判定は、操作パネル１４の停止スイッチが操作されたか否かに基づいて行われる。制御装置６０は、Ｓ１３０で局部洗浄の終了タイミングとなったと判定すると、局部洗浄を終了して局部洗浄ノズル（おしり洗浄ノズル２１またはビデ洗浄ノズル２２）を収容カバー４０内の収容位置に向かって後方に移動させる（Ｓ１４０）。
【００２８】
次に、制御装置６０は、局部洗浄ノズル（おしり洗浄ノズル２１またはビデ洗浄ノズル２２）のノズル洗浄を実行する（Ｓ１５０）。Ｓ１３０では、制御装置６０は、吐出口３６（洗浄水供給路３８）に洗浄水が供給されるように流路切替弁２９を駆動制御して、吐出口３６からおしり洗浄ノズル２１やビデ洗浄ノズル２２に向けて洗浄水を吐出させることにより、ノズル洗浄を実行する。また、ノズル洗浄は、局部洗浄を終了したおしり洗浄ノズル２１やビデ洗浄ノズル２２が後方へ移動し始めたタイミングや移動中の所定のタイミング、収容位置への移動が完了したタイミングなど、局部洗浄終了後の予め定められたタイミングで開始される。そして、制御装置６０は、ノズル洗浄の終了タイミングとなるのを待つ（Ｓ１６０）。なお、制御装置６０は、Ｓ１５０でノズル洗浄を開始してから予め定められたノズル洗浄時間が経過したときに、ノズル洗浄の終了タイミングとなったと判定する。制御装置６０は、Ｓ１６０でノズル洗浄の終了タイミングとなったと判定すると、吐出口３６への洗浄水の供給を停止させてノズル洗浄を終了し、図５に示す圧縮エア吐出処理を実行して（Ｓ１７０）、ノズルユニット作動処理を終了する。
【００２９】
圧縮エア吐出処理では、制御装置６０は、まず、開閉弁５６を閉状態としてエアポンプ５２の駆動を開始し（Ｓ２００）、所定の蓄圧時間が経過するのを待つ（Ｓ２１０）。ここで、本実施形態の圧縮エア吐出処理は、吐出口３６から圧縮されたエアを吐出することで、収容位置にあるおしり洗浄ノズル２１やビデ洗浄ノズル２２に付着している水滴を吹き飛ばすことを目的としている。Ｓ２１０の所定の蓄圧時間としては、水滴を吹き飛ばすことができる程度のエアの圧縮（蓄圧）に必要な時間として、実験などにより予め求めた時間を用いる。制御装置６０は、Ｓ２１０で所定の蓄圧時間が経過したと判定すると、開閉弁５６を開いて（Ｓ２２０）、吐出口３６から圧縮されたエアを吐出させる。これにより、おしり洗浄ノズル２１やビデ洗浄ノズル２２に付着している水滴を吹き飛ばすことができる。そして、制御装置６０は、開閉弁５６を再び閉じて（Ｓ２３０）、圧縮されたエアの吐出を所定回数繰り返したか否かを判定する（Ｓ２４０）。この所定回数は、数回から十回程度の複数回に定めるものとする。なお、所定回数を１回とすることもできるが、ノズル洗浄後に初めてエアを吐出する際には洗浄水供給路３８に残存している洗浄水が吐出されることがあるため、所定回数を複数回とすることが好ましい。制御装置６０は、Ｓ２４０で所定回数繰り返していないと判定すると、Ｓ２１０に戻り処理を行う。また、制御装置６０は、Ｓ２４０で所定回数繰り返したと判定すると、エアポンプ５２の駆動を停止して（Ｓ２５０）、圧縮エア吐出処理を終了する。
【００３０】
以上説明した洗浄便座装置１０は、局部洗浄ノズルとしてのおしり洗浄ノズル２１やビデ洗浄ノズル２２に向けた吐出口３６にエアを供給するエアポンプ５２と、エアポンプ５２から吐出口３６へのエア供給路５４に設けられ開閉可能な開閉弁５６とを備える。そして、洗浄便座装置１０は、開閉弁５６を閉じた状態でエアポンプ５２を駆動してから開閉弁５６を開くことで圧縮されたエアを吐出口３６から吐出させる。これにより、エアポンプ５２と開閉弁５６とを設ける比較的簡易な構成で、局部洗浄ノズルの外表面に付着した水滴を吹き飛ばして水滴を除去することができる。このため、局部洗浄ノズルの外表面に水滴が残ることで雑菌が繁殖したり水垢が固着したりするのを適切に防止しつつ、外表面の撥水性が損なわれるのを抑制することができるから、局部洗浄ノズルの清潔性を保つことができる。また、局部洗浄ノズルの外表面は撥水性を有するため、低圧縮のエアで十分に水滴を吹き飛ばすことが可能であり、エアポンプ５２の小型化を図ることができる。
【００３１】
また、洗浄便座装置１０は、局部洗浄ノズルのノズル洗浄が行われた後に、圧縮されたエアを吐出口３６から吐出させるから、ノズル洗浄により局部洗浄ノズルの外表面に付着した水滴を適切に除去することができる。
【００３２】
また、洗浄便座装置１０は、局部洗浄ノズルがノズルカバー４０内の収容位置にある状態で、圧縮されたエアを吐出口３６から複数回吐出させるから、局部洗浄ノズルの外表面に付着した水滴をより確実に除去することができる。
【００３３】
また、洗浄便座装置１０は、ノズル洗浄部３５による洗浄水の吐出口と、エアポンプ５２からのエアの吐出口とを共用するように構成されるから、局部洗浄ノズルに向けてエアを吐出可能に構成しても装置が大型化するのを防止することができる。また、洗浄水の吐出口と、エアの吐出口とを共用した場合でも、圧縮されたエアを吐出口３６から複数回吐出させるから、一回目のエア吐出により流路内や吐出口３６内に残存している洗浄水を除去してから、二回目以降のエア吐出によりエアを確実に吐出することが可能となる。
【００３４】
上述した実施形態では、ノズル洗浄が終了しおしり洗浄ノズル２１やビデ洗浄ノズル２２が収容位置にある状態で、圧縮されたエアを吐出口３６から吐出させるものとしたが、これに限られるものではない。例えば、おしり洗浄ノズル２１やビデ洗浄ノズル２２を移動させながら吐出口３６から圧縮されたエアを吐出させるものなどとしてもよい。図６は変形例の圧縮エア吐出処理を示すフローチャートである。変形例の圧縮エア吐出処理では、図５と同じ処理には同じステップ番号か末尾にａ，ｂを加えたステップ番号を付す。
【００３５】
変形例の圧縮エア吐出処理では、制御装置６０は、Ｓ２００で開閉弁５６を閉状態でエアポンプ５２の駆動を開始すると、おしり洗浄ノズル２１とビデ洗浄ノズル２２とのうち一方を順次対象洗浄ノズルとするかあるいは両方を対象洗浄ノズルとして、対象洗浄ノズルの洗浄位置への移動（往動）を開始する（Ｓ２０２）。そして、制御装置６０は、所定の蓄圧時間が経過する度に開閉弁５６を開いて圧縮エアを吐出口３６から吐出させてから開閉弁５６を閉じる処理（Ｓ２１０ａ，Ｓ２２０ａ，Ｓ２３０ａ）を対象洗浄ノズルが洗浄位置に到達するまで（Ｓ２３２）、繰り返し行う。これにより、対象洗浄ノズルを洗浄位置まで移動させながら、圧縮されたエアを吐出口３６から吐出させることができる。なお、対象洗浄ノズル（局部洗浄ノズル）の移動速度は、エアの吐出回数が複数回となるように定めるものとする。
【００３６】
制御装置６０は、Ｓ２３２で対象洗浄ノズルが洗浄位置まで移動したと判定すると、次に、対象洗浄ノズルの収容位置への移動（復動）を開始する（Ｓ２３４）。そして、制御装置６０は、所定の蓄圧時間が経過する度に開閉弁５６を開いて圧縮エアを吐出口３６から吐出させてから開閉弁５６を閉じる処理（Ｓ２１０ｂ，Ｓ２２０ｂ，Ｓ２３０ｂ）を対象洗浄ノズルが収容位置に到達するまで（Ｓ２４２）、繰り返し行う。これにより、対象洗浄ノズルを収容位置まで移動させながら、圧縮されたエアを吐出口３６から吐出させることができる。そして、制御装置６０は、Ｓ２４２で対象洗浄ノズルが収容位置まで移動したと判定すると、Ｓ２５０でエアポンプ５２の駆動を停止して、圧縮エア吐出処理を終了する。なお、おしり洗浄ノズル２１とビデ洗浄ノズル２２とを順次対象洗浄ノズルとする場合には、Ｓ２４２で一方が収容位置まで移動したと判定すると、他方を対象洗浄ノズルとしてＳ２０２に戻り処理を行うものとする。これにより、ノズル軸方向の複数箇所に圧縮されたエアを吐出することができるから、おしり洗浄ノズル２１やビデ洗浄ノズル２２の外表面の略全長に亘って、付着した水滴をより確実に除去することができる。なお、この変形例の圧縮エア吐出処理において、おしり洗浄ノズル２１やビデ洗浄ノズル２２の往復動作を複数回繰り返しながら、圧縮されたエアを複数回吐出口３６から吐出させるものなどとしてもよい。また、おしり洗浄ノズル２１やビデ洗浄ノズル２２を往復動作中（移動中）に複数の所定位置で一時的に停止させた状態で、圧縮されたエアを複数回吐出口３６から吐出させるものなどとしてもよい。また、Ｓ２４２で対象洗浄ノズルが収容位置に移動したときに、収容位置でさらに複数回エアを吐出してもよい。
【００３７】
実施形態では、ノズル洗浄部３５により洗浄水が吐出される吐出口と、エアポンプ５２からのエアを吐出する吐出口とを一の吐出口３６で共用するものとしたが、これに限られるものではない。ここで、図７は、変形例の洗浄便座装置１０Ｂの構成の概略を示す構成図である。図示するように、ノズル洗浄部３５により洗浄水が吐出される吐出口３６Ｂと、エアポンプ５２からのエアを吐出する吐出口５３とを別々に設けるものとしてもよい。この変形例においても、エアの吐出を複数回行うものとしてもよい。
【００３８】
また、おしり洗浄ノズル２１とビデ洗浄ノズル２２から吐出される洗浄水にエアを混入させることにより局部洗浄における洗浄力や洗浄感を向上させる洗浄便座装置に本発明を適用するものとしてもよい。図８は、変形例の洗浄便座装置１０Ｃの構成の概略を示す構成図である。変形例の洗浄便座装置１０Ｃでは、図７の洗浄便座装置１０Ｂと同様に、ノズル洗浄部３５により洗浄水が吐出される吐出口３６Ｂと、エアポンプ５２からのエアを吐出する吐出口５３とを別々に設けている。また、エアポンプ５２からのエアを吐出口５３に供給する供給路に第１開閉弁５６Ａが設けられ、エアポンプ５２からのエアをおしり洗浄ノズル２１とビデ洗浄ノズル２２に供給する供給路に第２開閉弁５６Ｂが設けられている。この変形例では、制御装置６０は、図４のノズルユニット作動処理においてＳ１２０の局部洗浄を実行する前に第１開閉弁５６Ａを閉じる処理を行う。なお、制御装置６０は、局部洗浄中は、局部洗浄するための洗浄水にエアを混入可能となるように、必要に応じて第２開閉弁５６Ｂを開いてエアポンプ５２を駆動する。また、制御装置６０は、図４のノズルユニット作動処理においてＳ１７０の圧縮エア吐出処理を実行する前に第２開閉弁５６Ｂを閉じる処理を行う。この変形例では、おしり洗浄ノズル２１やビデ洗浄ノズル２２から吐出する洗浄水に混入するエアを供給するためのエアポンプと、おしり洗浄ノズル２１やビデ洗浄ノズル２２に向けて吐出するエアを供給するためのエアポンプとを、一のエアポンプ５２で共用することができるから、コンパクトな構成とすることができる。
【００３９】
実施形態では、制御装置６０が行うノズルユニット作動処理の中で圧縮エア吐出処理を行うものとしたが、これに限られず、エアの吐出指示を行うためのスイッチを操作パネル１４に設けておき、使用者からの操作指示に基づいて圧縮エア吐出処理を行うものとしてもよい。このようにすれば、使用者は、例えばおしり洗浄ノズル２１やビデ洗浄ノズル２２の清掃作業を行った後に、圧縮されたエアを吐出させることでおしり洗浄ノズル２１やビデ洗浄ノズル２２に付着した水滴を除去（乾燥）することができる。
【００４０】
実施形態では、おしり洗浄ノズル２１やビデ洗浄ノズル２２がノズル本体の外表面に撥水性層を有するものとしたが、これに限られず、例えば親水性層など他の性質の層を外表面に有するものなどとしてもよい。
【００４１】
本実施形態の主要な要素と課題を解決するための手段の欄に記載した発明の主要な要素との対応関係について説明する。本実施形態では、おしり洗浄ノズル２１やビデ洗浄ノズル２２が「局部洗浄ノズル」に相当し、エアポンプ５２が「エアポンプ」に相当し、開閉弁５６が「開閉弁」に相当し、制御装置６０が「制御装置」に相当する。また、ノズル洗浄部３５が「ノズル洗浄部」に相当する。また、ノズルカバー４０が「ノズルカバー」に相当する。また、第１開閉弁５６Ａが「第１開閉弁」に相当し、第２開閉弁５６Ｂが「第２開閉弁」に相当する。
【００４２】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４３】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４４】
本発明は、洗浄便座装置の製造産業などに利用可能である。
【符号の説明】
【００４５】
１  便器、１０，１０Ｂ，１０Ｃ  洗浄便座装置、１１  便座装置本体、１２  便座、１３  便蓋、１４  操作パネル、１５  着座センサ、２０  ノズルユニット、２１  おしり洗浄ノズル、２２  ビデ洗浄ノズル、２３  給水減圧弁、２５  熱交換ユニット、２７  流量調整弁、２９  流路切替弁、３１  おしり洗浄ノズル駆動部、３２  ビデ洗浄ノズル駆動部、３５  ノズル洗浄部、３６，３６Ｂ  吐出口、３７  供給口、３８  洗浄水供給路、４０  ノズルカバー、４１  下カバー部材、４２  係合爪、４３  上カバー部材、４４  係合溝、４５  前壁部材、４５ａ，４５ｂ  開口、５０  エア吐出部、５２  エアポンプ、５３  吐出口、５４  エア供給路、５６  開閉弁、５６Ａ  第１開閉弁、５６Ｂ  第２開閉弁、６０  制御装置。
【図１】
2019073891.tif 000003
【図２】
2019073891.tif 000004
【図３】
2019073891.tif 000005
【図４】
2019073891.tif 000006
【図５】
2019073891.tif 000007
【図６】
2019073891.tif 000008
【図７】
2019073891.tif 000009
【図８】
2019073891.tif 000010